(57)【要約】【課題】  箱体内部に収容されている収納物を開蓋して取り出す際、箱体と収容物との間隙が狭い場合であっても、収容物を容易に取り出することができる包装用箱体を提供する。【解決手段】天面、底面、正面、背面及び両側面の六面体により構成される厚紙から成る箱体の正面４及び背面５に天面２との境界辺より底面３との境界辺にかけてミシン目あるいは切れ目４３，４４、５３，５４を設け、箱体の開蓋に際し、該ミシン目あるいは切れ目に沿って解体可能としている。【選択図】  図１
2005082151.tif 000002
【特許請求の範囲】
【請求項１】
天面、底面、正面、背面及び両側面の六面体により構成される厚紙から成る箱体の正面、背面、両側面の少なくとも一面に天面との境界辺より底面との境界辺にかけてミシン目あるいは切れ目を設け、箱体の開蓋に際し、該ミシン目あるいは切れ目に沿って切り開くことにより解体可能とした包装用箱体。
【請求項２】
ミシン目あるいは切れ目は、互いに対向する面の互いに対応する位置に形成したことを特徴とする請求項１に記載の包装用箱体。
【請求項３】
ミシン目あるいは切れ目は、形成する面の上辺及び下辺に対して所定の角度で交差する傾斜した線に沿うように形成したことを特徴とする請求項１又請求項２に記載の包装用箱体。
【請求項４】
天面、底面、正面、背面及び両側面の六面体により構成される厚紙から成る箱体の正面、背面、両側面のうち対向する２面の各々に、天面との境界辺両端より底面との境界辺にかけてミシン目あるいは切れ目を設け、さらに、前記底面は、前記ミシン目あるいは切れ目に沿って切り開いた後の包装用箱体の両端部を押し開いたとき、底面の中央部の押し上げを容易にする折り曲げ部を設けることを特徴とする包装用箱体。
【発明の詳細な説明】
【技術分野】
【０００１】
本発明は、製品を包装した箱などの単位包装品を更に複数個まとめて包装する段ボール箱等の厚紙箱体、あるいは製品を緩衝材等で箱内で固定して包装する厚紙で形成した包装用箱体に関する。
【背景技術】
【０００２】
製品や商品を輸送する場合に、作業時に取り扱う個数を減らすため、あるいは、商品が箱詰めされた販売用製品箱（内装箱）の損傷を防止する等のために、包装済みの箱を更に複数個まとめて包装することが行われるが、このような複数個の製品（内装箱）が収納された包装用箱体（外装箱）を開けて内装箱を取り出そうとするとき、内装箱とこれを収容する外装箱との間は、通常は間隙がないため、取り出しにくく、外装箱を無理に押し広げて手を入れて取り出すか、外装箱を無理に破いて解体して取り出すようなことが行われている。このようなとき、場合によっては内装箱に損傷を与えたり、指先をいためたりしかねない。
【０００３】
また、緩衝材を詰めて箱内の収容物を固定しているような場合においても、緩衝材に無理に指を挿入したり、緩衝材を破壊したりして収容物を取り出すようにしている。尚、外装箱の解体を容易にするためにミシン目を箱体の一部に入れたりすることはあるが、内容物の取り出しの作業性を考慮したものではない。
【発明の開示】
【発明が解決しようとする課題】
【０００４】
上述のように、内装箱と外装箱の組み合わせた場合、内装箱と外装箱とは殆ど間隙のない状態で包装されるため、外装箱を開けて内装箱を取り出す作業に手間取ったり、内装箱を損傷する可能性があった。また、外装箱を開蓋しても、内箱の取出しが容易でない場合は、更に、他の箇所を破いたりすることを余儀なくされていた。特に、収容される内箱が複数段に積み重ねられているような場合、最上段の内箱は取り出しが容易であっても、２段以下の下段のものは取り出しが容易でない場合がある。
【０００５】
本発明は上述の問題点を解決することを目的としてなされたものであり、外装箱を開梱あるいは開蓋時に内部に収容する内装箱等の収容物を損傷させることなく安全且つ容易に取り出すことを可能とする外装箱を提供するものである。
【課題を解決するための手段】
【０００６】
上記課題は、天面、底面、正面、背面及び両側面の六面体により構成される厚紙から成る箱体の正面、背面、両側面の少なくとも一面に天面の境界部より底面の境界部にかけてミシン目あるいは切れ目を設け、箱体の開梱に際し、該ミシン目あるいは切れ目に沿って切り開くことにより解体可能とした包装用箱体によって解決される。
【０００７】
また、本発明の包装用箱体は、ミシン目あるいは切れ目は、互いに対向する面の互いに対応する位置に形成したことを特徴とする。
【０００８】
更に、本発明の包装用箱体は、ミシン目あるいは切れ目は、形成する面の上辺及び下辺に対して所定の角度で交差する傾斜した線に沿うように形成したことを特徴とする。
【０００９】
更に、本発明の包装用箱体は、天面、底面、正面、背面及び両側面の六面体により構成される厚紙から成る箱体の正面、背面、両側面のうち対向する２面の各々に、天面との境界辺両端より底面との境界辺にかけてミシン目あるいは切れ目を設け、さらに、前記底面は、前記ミシン目あるいは切れ目に沿って切り開いた後の包装用箱体の両端部を押し開いたとき、底面の中央部の押し上げを容易にする折り曲げ部を設けることを特徴とする。
【発明の効果】
【００１０】
本発明の包装用箱体によれば、内装箱などの収容物を収容して閉蓋した状態から開蓋して内装物を取り出す場合、内装物と外装箱との間隙が殆どないような状態であっても、ミシン目を切り開くことにより、容易に取り出すことができるとともに内装物の状態を直接見ることができるため、そのまま商品の展示手段としても用いることができる。また、ミシン目を天面との境界辺両端より底面との境界辺にかけて形成することにより、天面を開けて更にミシン目に沿って切り開く際、スムースに切り開くことができ、ミシン目以外の部分から切り開かれることが少ない。
【００１１】
また、対向する面にミシン目を設け、当該ミシン目を天面との境界辺両端より底面との境界辺にかけて所定の角度で交差する傾斜した線に沿うように形成し、かつ、底面に予め折り曲げ容易となるように折り曲げ部を設け、ミシン目に沿って切り開いた後、両端部を押し開いて底部の中央部を押し上げて台座を形成することができるため、内装物が台座により包装用箱体から完全に取り出された形となり、取り出しが容易になるとともに、内装物の全容が直接見れるようになるため、そのまま商品の展示手段として利用することができる。
【発明を実施するための最良の形態】
【００１２】
図１は、本発明の１実施形態を示し、２段に重ねられた内装箱１０１，１０２（図１（ｂ）に図示）を収容する外装箱１を示している。外装箱１は、天面２、底面３、正面４、背面５、側面６及び７の６面体からなる直方体である。天面２は、中央線に沿って２ａ，２ｂの２つに分割され、開蓋時にはこの中央線２１を開いて内容物である内装箱１０１，１０２を取り出すようにしている。
【００１３】
本発明における外装箱１は、更に、正面４に天面２との境界部である上辺４１から底面３との境界部である下辺４２にかけて破断を容易にするための切込線又はミシン目４３、４４を左右対称に２本設けている。本実施例ではミシン目４３、４４は上辺４１の両端部４５，４６を起点とし、下辺４２の中央部寄りの２点４７，４８を終点とするように、上辺４１及び下辺４２に対して所定の角度を持つように斜交するようにしている。同様に、背面５にも、ミシン目５３及び５４を形成している。
【００１４】
以上の構成からなる本実施例の外装箱の利用方法について述べる。
【００１５】
２段に積層された内装箱１０１，１０２を収納する外装箱１を開蓋して内容物を取り出す場合、先ず、通常、箱体の内部から収容物を取り出す場合と同様に、蓋部となる天面の中央線２１を破断して分割した天面２ａ、２ｂを開く。この天面２ａ、２ｂを開いただけの状態では、前述したように、外装箱１と内装箱１０１，１０２との間隙が狭い場合や、積層された内装箱のうち特に下段の箱１０２の取り出しが困難となる。そこで、本実施例の箱体１においては、天面２の開蓋に加え、更に、正面及び背面に形成したミシン線（又は切込線）４３、４４及び５３、５４を図１（ｃ）に示すように破断する。これにより、外装箱１の正面４及び背面５は中央部４ａ，５ａ及び左右両側部４ｂ，４ｃ，５ｂ、５ｃに夫々３分割されて開くことができ、内装箱１０１．１０２が露出する状態となる。これによって、内装箱を容易に取り出すことが可能となる。また、取り出しの際に、狭い間隙に手を挿入するような無理な操作をする必要もなく、内装箱を損傷するおそれもなくなる。
【００１６】
更に、本実施例の外装箱１によれば、ミシン目４３、４４及び５３、５４に沿って分割された両側壁部６，７を図１（ｂ）、（ｃ）に示すように、左右に押し開くことにより、底面３は線３１，３２に沿って、折り曲げられ、両端部３ｂ，３ｃ、中央部３ａが形成され、両端部３ｂ，３ｃがさらに折り曲げることにより、図１（ｂ）の如く中央部３ａが曲して中央部３ａが、上方に押し上げられる状態となる。このようにすることにより、内装箱１０１、１０２が更に露出した状態となり、また、両側面６，７とこれに連続する屈曲された底面３ｂ，３ｃと分割された正面及び背面の両側部が脚部となる台座が形成された状態となる。この状態においては、図１（ｂ）の矢印（イ）で示すように、内装箱１０１，１０２の下面に手を挿入することが容易となり、取り出しが一更に容易となる。また、内装箱を持ち上げれた状態で保持しておくことにより、内装箱の陳列台としても利用できる。
【００１７】
尚、両側部６，７を押し開いた際、底面３の線３１，３２の部分には、予め底面の外側に切り込み線等を施しておき、両側部６，７を押し開いた際に線３１，３２の部分で容易に折り曲げられるよにしておくことが好ましい。
【００１８】
また、外装箱１０が、図２を参照して後述するような山部と谷部からなる波形のコルゲート条列を有するコルゲート芯材を使用する段ボールにより構成されるようなものにあっては、底面３におけるコルゲート条列の向きを線３１、３２に平行となるようにしておくことにより、所望の線に沿って折り曲げが容易となるようにすることができる。
【００１９】
本実施例において、ミシン目４３，４４を切り離すとき、正面４の中央部は上辺の長さ（点４５，４６間の長さ）Ｌ1と下辺の長さ（点４７，４８間の長さ）L2となる逆台形状をなすが、Ｌ１，Ｌ２の長さを適宜設定することにより、解体したときの露出面積と底面を図１（ｂ）のように持上げたときの持上げ高さを調整することができる。但し、本実施例のように、点４５，４６を上辺の両端に設けた方がスムースかつミシン目以外の部分から切り開かれる危険性が少なくなる。
【００２０】
図２は本発明の第２の実施に係る外装箱１０の展開した状態を示す。本実施例の外装箱１０は段ボールによる収納箱で、全体の形状は通常の段ボール箱と変わるところはない。すなわち、外装箱１０は、天面１２、底面１３、正面１４、背面１５及び両側面１６，１７から形成される。天面１２及び底面１３は、図示のように、正面１４、背面１５、両側面１６，１７の夫々にはフラップ１２ａ〜１２ｄ、フラップ１３ａ〜１３ｄが形成されており、夫々折り畳むことにより、天面１２、底面１３が形成される。尚、図中、符号１９は段ボールの一部切り欠いてその内部構造を示すもので、本実施例では、表裏２枚の平板ライナーの間に山部と谷部からなるコルゲート条列を有する波形のコルゲート芯体を介在させたものを使用している。
【００２１】
本実施例の外装箱１０は、前述の例と同様に正面１４及び背面１５にミシン目１４３，１４４及び１５３、１５４を形成している。正面１４にミシン目は上辺１４１の両端部１４５，１４６から夫々、下辺の中央寄りの点１４７、１４８に至る線に沿って形成している。背面１５のミシン目１５３、１５４も同様の位置に形成している。
【００２２】
図３は、２つの内装箱を収容した外装箱１０を開蓋したときの状態を示している。天面１２を形成している外フラップ１２ａ，１２ｂを開き、更にミシン目１４３、１４４及び１５３、１５４に沿って解体した状態である。このように、正面１４及び背面１５を容易に開くことができるため、内装箱の取り出しがきわめて容易となる。そして、図１の実施例において説明したように、側面１６、１７を矢印（イ）で示す方向に押し広げると、稜線（ロ）を中心に底面１３が上に持ち上げられ、内装箱の取り出しが更に容易となる。このとき、底面１３（１３ａ〜１３ｄ）を構成する段ボールの芯材のコルゲート条列の方向を稜線（ロ）と平行の方向としておくことにより、ミシン目１４３，１４４と底面の辺との交点１４７，１４８を通り、稜線（ロ）に平行な線に沿って容易に折れ曲がるようになる。仮にコルゲート条列の方向と折れ線との関係が直交する場合には、交点（ニ）を通る折れ線に沿って折れ曲がりを容易にするための切り込み等を形成しておくとよい。
また、持上げられた状態を保持しておくことにより、そのまま内装箱を展示するための展示台としても機能させることができる。
【００２３】
図４は、本発明の他の実施例に係る外装箱２０を示す。外装箱２０は、天面２２、底面２３、正面２４、背面25及び両側面２６，２７を有し、正面２４にミシン目２４１，２４２を形成し、背面にも同様のミシン目を形成している。本実施例においては、ミシン目２４１、２４２は垂直、即ち、上辺及び下辺に対して直交して形成している。なお、先に述べたように、ミシン目２４１，２４２と上辺の接点は上辺の両端とした方が解体がよりスムースに行われ、ミシン目以外の部分で切り開かれることが少なくなる。したがって、ミシン目２４１，２４２の上辺との接点は上辺の両端とし、ミシン目を傾斜形成し、途中から図４のように直線に沿ったミシン目に形成してもいよい。
【００２４】
本実施例の外装箱２０によっても、前述の外装箱１、外装箱１０と同様に、内装箱の取り出しを容易にすることができる。
【００２５】
上述の実施例においては、解体するためのミシン目は６面体の箱の正面及び背面に形成しているが、特に、正面及び背面に特定されるものではなく、両側面であったり、正面、背面、両側面のいずれか一面にのみ形成してもよい。いずれの面に形成するかは、収容する内装箱の種類、形状、サイズ、個数などを考慮して適宜決定する。
【産業上の利用可能性】
【００２６】
本発明の外装箱は、各種製品や商品等の内装箱その他の収容物を収容するためのダンボール箱などの厚紙で形成されるあらゆる外装箱に適用することができる。
【図面の簡単な説明】
【００２７】
【図１】本発明の実施例に係る外装箱を示す図である。
【図２】本発明の他の実施例の外装箱を示す図である。
【図３】本発明の他の実施例を示す図である。
【図４】本発明の他の実施例を示す図である。
【符号の説明】
【００２８】
１，１０、２０  外装箱
４３、４４、５３、５４  ミシン目
１４３、１４４、１５３，１５４  ミシン目
２４１、２４２  ミシン目
【図１】
2005082151.tif 000003
【図２】
2005082151.tif 000004
【図３】
2005082151.tif 000005
【図４】
2005082151.tif 000006